(57)【要約】【課題】赤外線通信を行えない情報機器間でもデータ交換の際のユーザの手間を低減させられるようにする。【解決手段】第１情報機器１０−１では、データ送信側の情報機器として、表示部２６０がバーコード（第１バーコード）を表示する。そして、第２情報機器１０−２では、データ受信側の情報機器として、データ取得部２７２がバーコードからデータを取得する。データ取得部２７２がデータの取得を完了すると、発光部２４０が所定の発光パターンで発光してデータ取得完了通知を行う。このデータ取得完了通知にて、データの送信側と受信側とが交代する。第２情報機器１０−２では、データ送信側の情報機器として、表示部２６０がバーコード（第２バーコード）を表示する。そして、第１情報機器１０−１では、データ受信側の情報機器として、データ取得部２７２がバーコードからデータを取得する。【選択図】図１６
2014016810.tif 000002
【特許請求の範囲】
【請求項１】
第１情報機器と、第２情報機器とを具備し、
前記第１情報機器は、
撮像を行う撮像部と、
第１バーコードを表示する表示部と、
所定の発光パターンを検出する発光パターン検出部と、
前記発光パターン検出部が前記所定の発光パターンを検出すると、前記撮像部の撮像画像に含まれる第２バーコードからデータを取得するデータ取得部と、
を具備し、
前記第２情報機器は、
撮像を行う撮像部と、
前記撮像部の撮像画像に含まれる第１バーコードからデータを取得するデータ取得部と、
前記データ取得部が前記データを取得すると、前記所定の発光パターンで発光する発光部と、
前記データ取得部が前記データを取得すると、第２バーコードを表示する表示部と、
を具備することを特徴とするデータ交換システム。
【請求項２】
前記発光パターン検出部は、前記撮像部が撮像した画像にて前記所定の発光パターンを検出することを特徴とする請求項１に記載のデータ交換システム。
【請求項３】
前記第１情報機器は、前記データ取得部が前記データを取得すると、所定の発光パターンで発光する発光部を具備し、
前記第２情報機器は、前記所定の発光パターンを検出する発光パターン検出部を具備し、
前記第２情報機器の表示部は、前記発光パターン検出部が前記所定の発光パターンを検出すると、前記第２バーコードの表示を終了する、
ことを特徴とする請求項１または請求項２に記載のデータ交換システム。
【請求項４】
前記第１情報機器は、前記撮像部の撮像画像から顔画像を検出する顔画像検出部と、
前記データ取得部が取得した前記データと前記顔画像検出部が検出した前記顔画像とを対応付けて記憶する記憶部と、
を具備することを特徴とする請求項１から３のいずれか一項に記載のデータ交換システム。
【請求項５】
撮像を行う撮像部と、
第１バーコードを表示する表示部と、
所定の発光パターンを検出する発光パターン検出部と、
前記発光パターン検出部が前記所定の発光パターンを検出すると、前記撮像部の撮像画像に含まれる第２バーコードからデータを取得するデータ取得部と、
を具備することを特徴とする情報機器。
【請求項６】
撮像を行う撮像部と、
前記撮像部の撮像画像に含まれる第１バーコードからデータを取得するデータ取得部と、
前記データ取得部が前記データを取得すると、所定の発光パターンで発光する発光部と、
前記データ取得部が前記データを取得すると、第２バーコードを表示する表示部と、
を具備することを特徴とする情報機器。
【請求項７】
情報機器のデータ交換方法であって、
撮像を行う撮像ステップと、
第１バーコードを表示する表示ステップと、
所定の発光パターンを検出する発光パターン検出ステップと、
前記発光パターン検出ステップにて前記所定の発光パターンを検出すると、前記撮像ステップでの撮像画像に含まれる第２バーコードからデータを取得するデータ取得ステップと、
を具備することを特徴とするデータ交換方法。
【請求項８】
発光部を具備する情報機器のデータ交換方法であって、
撮像を行う撮像ステップと、
前記撮像ステップでの撮像画像に含まれる第１バーコードからデータを取得するデータ取得ステップと、
前記データ取得ステップにて前記データを取得すると、前記発光部を所定の発光パターンで発光させる発光ステップと、
前記データ取得ステップにて前記データを取得すると、第２バーコードを表示する表示ステップと、
を具備することを特徴とするデータ交換方法。
【請求項９】
情報機器に、
撮像を行う撮像ステップと、
第１バーコードを表示する表示ステップと、
所定の発光パターンを検出する発光パターン検出ステップと、
前記発光パターン検出ステップにて前記所定の発光パターンを検出すると、前記撮像ステップでの撮像画像に含まれる第２バーコードからデータを取得するデータ取得ステップと、
を実行させるためのプログラム。
【請求項１０】
発光部を具備する情報機器に、
撮像を行う撮像ステップと、
前記撮像ステップでの撮像画像に含まれる第１バーコードからデータを取得するデータ取得ステップと、
前記データ取得ステップにて前記データを取得すると、前記発光部を所定の発光パターンで発光させる発光ステップと、
前記データ取得ステップにて前記データを取得すると、第２バーコードを表示する表示ステップと、
を実行させるためのプログラム。
【発明の詳細な説明】
【技術分野】
【０００１】
本発明は、データ交換システム、情報機器、データ交換方法およびプログラムに関する。
【背景技術】
【０００２】
携帯電話機の電子メールで名前や電話番号やメールアドレスなどのプロフィール情報を送信し合うことで、携帯電話機にてプロフィール交換を行うことができる。しかしながら、この場合、ユーザは、互いに電子メールを送信する必要があり、手間がかかってしまう。
【０００３】
一方、特許文献１に記載の携帯電話機では、制御回路には、赤外線通信部が接続されており、近接位置にある他の携帯電話機との間で電話帳情報等のデータを送受信することができる。そのような携帯電話機において、赤外線通信部を介して他の携帯電話機との間でデータ交換を行う際に、相手側にデータを送信した後、自動的に受信モードに切り替える。
これにより、２台の携帯電話機間で相互にデータ交換をする場合に、１回の操作で送受信ができる、とされている。
【先行技術文献】
【特許文献】
【０００４】
【特許文献１】特開２００８−２３６４４４号公報
【発明の概要】
【発明が解決しようとする課題】
【０００５】
しかしながら、特許文献１に記載の技術では、２台の携帯電話機が赤外線通信を行える必要がある。従って、一方の携帯電話機が赤外線通信機能を有していない場合や、２台とも赤外線通信機能を有していても通信規格が異なり互いに通信できない場合は、特許文献１に記載の技術を適用することはできない。
【０００６】
本発明は、上述の課題を解決することのできるデータ交換システム、情報機器、データ交換方法およびプログラムを提供することを目的としている。
【課題を解決するための手段】
【０００７】
この発明は上述した課題を解決するためになされたもので、本発明の一態様によるデータ交換システムは、第１情報機器と、第２情報機器とを具備し、前記第１情報機器は、撮像を行う撮像部と、第１バーコードを表示する表示部と、所定の発光パターンを検出する発光パターン検出部と、前記発光パターン検出部が前記所定の発光パターンを検出すると、前記撮像部の撮像画像に含まれる第２バーコードからデータを取得するデータ取得部と、を具備し、前記第２情報機器は、撮像を行う撮像部と、前記撮像部の撮像画像に含まれる第１バーコードからデータを取得するデータ取得部と、前記データ取得部が前記データを取得すると、前記所定の発光パターンで発光する発光部と、前記データ取得部が前記データを取得すると、第２バーコードを表示する表示部と、を具備することを特徴とする。
【０００８】
また、本発明の一態様による情報機器は、撮像を行う撮像部と、第１バーコードを表示する表示部と、所定の発光パターンを検出する発光パターン検出部と、前記発光パターン検出部が前記所定の発光パターンを検出すると、前記撮像部の撮像画像に含まれる第２バーコードからデータを取得するデータ取得部と、を具備することを特徴とする。
【０００９】
また、本発明の一態様による情報機器は、撮像を行う撮像部と、前記撮像部の撮像画像に含まれる第１バーコードからデータを取得するデータ取得部と、前記データ取得部が前記データを取得すると、所定の発光パターンで発光する発光部と、前記データ取得部が前記データを取得すると、第２バーコードを表示する表示部と、を具備することを特徴とする。
【００１０】
また、本発明の一態様によるデータ交換方法は、情報機器のデータ交換方法であって、撮像を行う撮像ステップと、第１バーコードを表示する表示ステップと、所定の発光パターンを検出する発光パターン検出ステップと、前記発光パターン検出ステップにて前記所定の発光パターンを検出すると、前記撮像ステップでの撮像画像に含まれる第２バーコードからデータを取得するデータ取得ステップと、を具備することを特徴とする。
【００１１】
また、本発明の一態様によるデータ交換方法は、発光部を具備する情報機器のデータ交換方法であって、撮像を行う撮像ステップと、前記撮像ステップでの撮像画像に含まれる第１バーコードからデータを取得するデータ取得ステップと、前記データ取得ステップにて前記データを取得すると、前記発光部を所定の発光パターンで発光させる発光ステップと、前記データ取得ステップにて前記データを取得すると、第２バーコードを表示する表示ステップと、を具備することを特徴とする。
【００１２】
また、本発明の一態様によるプログラムは、情報機器に、撮像を行う撮像ステップと、第１バーコードを表示する表示ステップと、所定の発光パターンを検出する発光パターン検出ステップと、前記発光パターン検出ステップにて前記所定の発光パターンを検出すると、前記撮像ステップでの撮像画像に含まれる第２バーコードからデータを取得するデータ取得ステップと、を実行させるためのプログラムである。
【００１３】
また、本発明の一態様によるプログラムは、発光部を具備する情報機器に、撮像を行う撮像ステップと、前記撮像ステップでの撮像画像に含まれる第１バーコードからデータを取得するデータ取得ステップと、前記データ取得ステップにて前記データを取得すると、前記発光部を所定の発光パターンで発光させる発光ステップと、前記データ取得ステップにて前記データを取得すると、第２バーコードを表示する表示ステップと、を実行させるためのプログラムである。
【発明の効果】
【００１４】
本発明によれば、赤外線通信を行えない情報機器（例えば携帯電話機）間でもデータ交換の際のユーザの手間を低減させることができる。
【図面の簡単な説明】
【００１５】
【図１】本発明の一実施形態におけるデータ交換システムの機器構成を示す概略構成図である。
【図２】同実施形態における携帯端末装置のデバイス構成を示す概略構成図である。
【図３】同実施形態における携帯端末装置の機能構成を示す概略ブロック図である。
【図４】同実施形態における携帯端末装置を表示画面の側から見た外形の概略を示す外形図である。
【図５】同実施形態における携帯端末装置を表示画面の反対側から見た外形の概略を示す外形図である。
【図６】同実施形態における表示部が表示するプロフィール表示画面の例を示す説明図である。
【図７】同実施形態における表示部が表示する送信／受信選択画面の例を示す説明図である。
【図８】同実施形態における表示部が表示するバーコードの例を示す説明図である。
【図９】同実施形態において、プロフィール情報の受信側となっている携帯端末装置０の表示部が表示する撮像画像の例を示す説明図である。
【図１０】同実施形態におけるデータ取得部が取得するプロフィール情報の例を示す説明図である。
【図１１】同実施形態における顔画像検出部が取得する顔画像の例を示す説明図である。
【図１２】同実施形態における表示部が表示するアドレス帳画面の例を示す説明図である。
【図１３】同実施形態における携帯端末装置がプロフィール交換を行う処理手順を示すフローチャートである。
【図１４】同実施形態における携帯端末装置がプロフィール交換を行う処理手順を示すフローチャートである。
【図１５】同実施形態における携帯端末装置がプロフィール交換を行う処理手順を示すフローチャートである。
【図１６】データ交換システムのうち、本発明の最小構成を示す概略ブロック図である。
【図１７】情報機器のうち本発明の第１の最小構成を示す概略ブロック図である。
【図１８】情報機器のうち本発明の第２の最小構成を示す概略ブロック図である。
【発明を実施するための形態】
【００１６】
以下、図面を参照して、本発明の実施の形態について説明する。以下では、本発明を携帯電話機またはスマートフォンなどの携帯端末装置に適用した場合を例に説明するが、本発明の適用範囲はこれに限らない。例えばパソコンや、携帯情報端末（Personal Digital Assistant；ＰＤＡ）や、デジタルカメラや、カムコーダ（Camcorder）や、ゲーム機など、撮像手段および画像表示手段を有する様々な情報機器に本発明を適用可能である。
また、以下では、本発明をプロフィール情報の交換に適用した場合を例に説明するが、本発明の適用範囲はこれに限らない。例えばメッセージ交換など、２つの情報機器間で行う様々なデータの交換に本発明を適用し得る。
【００１７】
図１は、本発明の一実施形態におけるデータ交換システムの機器構成を示す概略構成図である。同図において、データ交換システム１は、携帯端末装置１００−１および１００−２を具備する。
携帯端末装置１００−１は、ユーザＵ１１の所持する携帯端末装置であり、ユーザＵ１１のプロフィール情報を記憶している。携帯端末装置１００−２は、ユーザＵ１２の所持する携帯端末装置であり、ユーザＵ１２のプロフィール情報を記憶している。
【００１８】
携帯端末装置１００−１は、本発明における第１情報機器の一例に該当する。携帯端末装置１００−２は、本発明における第２情報機器の一例に該当する。また、携帯端末装置１００−１と１００−２とは、いずれも、本発明における情報機器の一例に該当する。
なお、以下では、携帯端末装置１００−１と１００−２とを総称して携帯端末装置１００と表記する。
【００１９】
携帯端末装置１００−１と１００−２とは、プロフィール情報を交換する。具体的には、携帯端末装置１００−１が、ユーザＵ１１のプロフィール情報を示すバーコードを表示し、携帯端末装置１００−２が、当該バーコードを撮像してプロフィール情報を読み取る。また、携帯端末装置１００−２が、ユーザＵ１２のプロフィール情報を示すバーコードを表示し、携帯端末装置１００−１が、当該バーコードを撮像してプロフィール情報を読み取る。
【００２０】
ここでのバーコードとして、様々なものを用いることができる。例えば、携帯端末装置１００が、ＱＲコード（登録商標）を表示するようにしてもよいし、Ｄａｔａ  Ｍａｔｒｉｘ（登録商標）またはカラーコード（登録商標）を表示するようにしてもよい。あるいは、携帯端末装置１００が、バーコードに代えて、色を時系列的に点滅させるなど動画像を表示するようにしてもよい。
また、携帯端末装置１００−１と１００−２とが異なる種類のコードを表示するようにしてもよい。
【００２１】
図２は、携帯端末装置１００のデバイス構成を示す概略構成図である。
同図において、携帯端末装置１００は、無線回路１１０と、メインカメラ１２１と、サブカメラ１２２と、入力デバイス１３０と、発光ダイオード１４０と、スピーカ１５１と、マイク１５２と、音声処理回路１５３と、表示装置１６０と、ＣＰＵ１７０と、ＲＯＭ１８１と、ＲＡＭ１８２と、不揮発メモリ１８３とを具備する。
なお、本実施形態では、携帯端末装置１００−１と１００−２とは同一の構成を有するが、本発明の適用範囲はこれに限らない。例えば、携帯端末装置１００−２のみが発光ダイオード１４０を具備するなど、携帯端末装置１００−１と１００−２とが異なる構成を有するようにしてもよい。
【００２２】
無線回路１１０は、携帯電話網（通信事業者が携帯端末装置向けに提供する通信ネットワーク）に接続して通信を行う。
メインカメラ１２１とサブカメラ１２２とは、入射光を画像データに変換してＣＰＵ１７０へ出力する。メインカメラ１２１は、より画素数の多いカメラである。一方、サブカメラ１２２は、表示装置１６０の表示画面と同じ側に設けられており、ユーザ自らを撮像する自分撮りなどの用途に利用可能である。
【００２３】
表示装置１６０は、例えば液晶ディスプレイや有機ＥＬ（Organic Electro-Luminescence）ディスプレイなどの表示画面を有し、動画像や静止画像やテキスト（文字）など各種画像を表示する。
入力デバイス１３０は、表示装置１６０の表示画面に設けられたタッチセンサを有し、表示画面へのタッチ操作によるユーザ操作を検出する。表示装置１６０の表示画面と入力デバイス１３０のタッチセンサとでタッチパネルを構成する。
発光ダイオード１４０は、ＣＰＵ１７０の制御に従って発光する。
【００２４】
スピーカ１５１は、音声処理回路１５３からの音声信号に基づいて音声を出力する。
マイク１５２は、周囲音を採取して音声信号に変換し、音声処理回路１５３へ出力する。
音声処理回路１５３は、ＣＰＵ１７０からのデジタルの音声データをアナログの音声信号に変換してスピーカ１５１へ出力する。また、音声処理回路１５３は、マイク１５２からのアナログの音声信号をデジタルの音声データに変換してＣＰＵ１７０へ出力する。
【００２５】
ＣＰＵ１７０は、ＲＯＭ１８１や不揮発メモリ１８３の記憶するプログラムを読み出して実行することで、携帯端末装置１００の各部を制御して各種機能を実行する。
ＲＯＭ１８１は、ＯＳ（Operating System）など基本機能を実行するためのプログラム等を記憶している。
ＲＡＭ１８２は、ＣＰＵ１７０のワークメモリとして機能する。
不揮発メモリ１８３は、アプリケーションプログラムなど、書き換えのあるプログラムやデータを記憶している。
【００２６】
図３は、携帯端末装置１００の機能構成を示す概略ブロック図である。同図において、携帯端末装置１００は、無線部２１０と、撮像部２２１と、撮像部２２２と、操作入力部２３０と、発光部２４０と、音声出力部２５１と、音声入力部２５２と、音声処理部２５３と、表示部２６０と、制御部２７０と、記憶部２８０とを具備する。制御部２７０は、発光パターン検出部２７１と、データ取得部２７２と、顔画像検出部２７３とを具備する。
【００２７】
無線部２１０は、無線回路１１０（図２）にて実現され、携帯電話網に接続して無線通信を行う。
発光部２４０は、発光ダイオード１４０にて実現され、制御部２７０の制御に従って発光する。特に、発光部２４０は、データ取得部２７２が他の携帯端末装置１００（プロフィール交換を行う相手側の携帯端末装置１００）からのデータを取得すると、データ取得完了通知として予め設定されている所定の発光パターンで発光する。ここで、データ取得完了通知は、携帯端末装置１００がデータの取得を完了したことを他の携帯端末装置１００へ通知して、当該他の携帯端末装置１００における処理モードを遷移させるための通知である。
【００２８】
ただし、発光部２４０の実現方法は、発光ダイオード１４０を用いる方法に限らない。例えば、撮像部２２１に代えて撮像部２２２がバーコードの撮像を行うようにし、発光部２４０が発光ダイオードに代えて表示部２６０の表示画面を所定のパターンで発光させるようにしてもよい。
【００２９】
撮像部２２１は、メインカメラ１２１にて実現され、入射光を画像データに変換することで被写体の撮像を行う。特に、撮像部２２１は、他の携帯端末装置１００が表示するバーコードを撮像する。
撮像部２２２は、サブカメラ１２２にて実現され、入射光を画像データに変換することで被写体の撮像を行う。例えば、撮像部２２２は、自分撮りにおいてユーザの撮像を行う。また、撮像部２２２は、他の携帯端末装置１００の発光部２４０（発光ダイオード１４０）を撮像する。携帯端末装置１００（発光パターン検出部２７１）は、撮像部２２２の撮像画像に基づいて、他の携帯端末装置１００からのデータ取得完了通知を検出する。
【００３０】
音声出力部２５１は、スピーカ１５１にて実現され、音声処理部２５３からの音声信号に基づいて音声を出力する。
音声入力部２５２は、マイク１５２にて実現され、周囲音を採取して音声信号に変換し、音声処理部２５３へ出力する。
音声処理部２５３は、音声処理回路１５３にて実現され、制御部２７０からのデジタルの音声データをアナログの音声信号に変換して音声出力部２５１へ出力する。また、音声処理部２５３は、音声入力部２５２からのアナログの音声信号をデジタルの音声データに変換して制御部２７０へ出力する。
【００３１】
表示部２６０は、表示装置１６０にて実現され、制御部２７０の制御に従って各種画像を表示する。特に、表示部２６０は、ユーザのプロフィール情報を示すバーコードを表示する。
例えば、図１のデータ交換システム１において、携帯端末装置１００−１の表示部２６０は、ユーザＵ１１のプロフィール情報を示す第１バーコードを表示する。そして、携帯端末装置１００−１において、発光パターン検出部２７１が所定の発光パターンを検出すると、表示部２６０は、第１バーコードの表示を終了する。
また、携帯端末装置１００−２において、データ取得部２７２がユーザＵ１１のプロフィール情報を取得すると、表示部２６０は、ユーザＵ１２のプロフィール情報を示す第２バーコードを表示する。そして、携帯端末装置１００−２において、発光パターン検出部２７１が所定の発光パターンを検出すると、表示部２６０は、第２バーコードの表示を終了する。
【００３２】
操作入力部２３０は、入力デバイス１３０にて実現され、表示画面へのタッチ操作によるユーザ操作を検出する。
但し、操作入力部２３０の実現方法はタッチパネルによるものに限らず、様々なものを用いることができる。例えば、操作入力部２３０が、テンキーや方向キーや決定ボタン等の操作キーを具備し、当該操作キーの押下にてユーザ操作を受け付けるようにしてもよい。
【００３３】
制御部２７０は、ＣＰＵ１７０がＲＯＭ１８１や不揮発メモリ１８３からプログラムを読み出して実行することで実現され、携帯端末装置１００の各部を制御して各種機能を実行する。
発光パターン検出部２７１は、データ取得完了通知として設定されている所定の発光パターンを検出する。具体的には、撮像部２２１が、他の携帯端末装置１００の発光部２４０を撮像している状態で、当該発光部２４０が所定の発光パターンで発光すると、発光パターン検出部２７１は、撮像部２２１が撮像した画像にて当該所定の発光パターンを検出する。このように、発光パターン検出部２７１は、撮像部２２１が撮像した画像にて所定の発光パターンを検出する。当該検出にて、発光パターン検出部２７１は、表示部２６０が表示したバーコードからの、他の携帯端末装置１００におけるデータ（本実施形態ではユーザのプロフィール情報）取得完了を検出する。
【００３４】
データ取得部２７２は、撮像部２２１が撮像したバーコードからデータを取得（解読ないし変換）する。例えば、携帯端末装置１００−１において、データ取得部２７２は、発光パターン検出部２７１が所定の発光パターン（データ取得完了通知）を検出すると、撮像部２２１の撮像画像に含まれる第２バーコードからデータを取得する。また、携帯端末装置１００−２において、データ取得部２７２は、撮像部２２１の撮像画像に含まれる第１バーコードからデータを取得する。
【００３５】
顔画像検出部２７３は、撮像部２２１の撮像画像から顔画像を検出する。
記憶部２８０は、ＲＯＭ１８１やＲＡＭ１８２や不揮発メモリ１８３によって実現され、各種データを記憶する。特に、記憶部２８０は、送信用のプロフィール情報として、携帯端末装置１００のユーザのプロフィール情報を予め記憶している。また、記憶部２８０は、データ取得部２７２が取得したプロフィール情報と顔画像検出部２７３が検出した顔画像とを対応付けて記憶する。
【００３６】
次に、図４および図５を参照して、携帯端末装置１００の外形について説明する。
図４は、携帯端末装置１００を表示画面の側から見た外形の概略を示す外形図である。
同図において、メインカメラ１２１と、表示装置１６０の表示画面および入力デバイス１３０のタッチセンサで構成されるタッチパネルと、スピーカ１５１と、マイク１５２とが示されている。
携帯端末装置１００は、プロフィール情報の送信側となっている状態において、表示画面に当該プロフィール情報を示すバーコードを表示する。そこで、ユーザは、携帯端末装置１００の表示画面の側をプロフィール情報受信側の携帯端末装置１００へ向ける。
【００３７】
図５は、携帯端末装置１００を表示画面の反対側から見た外形の概略を示す外形図である。
同図において、メインカメラ１２１と発光ダイオード１４０とが示されている。
携帯端末装置１００は、プロフィール情報の受信側となっている状態において、メインカメラ１２１にてプロフィール情報送信側の携帯端末装置１００が表示しているバーコードを撮像する。そこで、ユーザは、携帯端末装置１００の表示画面と反対側をプロフィール情報送信側の携帯端末装置１００へ向ける。
【００３８】
次に、図６〜図１２を参照して、表示部２６０の表示画面について説明する。
図６は、表示部２６０が表示するプロフィール表示画面の例を示す説明図である。
同図に示すプロフィール表示画面において、表示部２６０は、ユーザ名やよみがなや電話番号やメールアドレスなど、ユーザのプロフィールを表示している。
また、領域Ａ１１は、プロフィール交換を指示するタッチ操作を受け付けるタッチ領域である。携帯端末装置１００は、領域Ａ１１へのタッチを検出すると、プロフィール交換の処理を開始する。
【００３９】
図７は、表示部２６０が表示する送信／受信選択画面の例を示す説明図である。図６に例示したプロフィール表示画面において操作入力部２３０が領域Ａ１１へのタッチを検出すると、表示部２６０は、制御部２７０の制御に従って送信／受信選択画面を表示する。
図７において、領域Ａ２１は、送信を選択するタッチ操作を受け付けるタッチ領域である。操作入力部２３０が領域Ａ２１へのタッチ操作を検出すると、携帯端末装置１００は、まず他の携帯端末装置１００へのプロフィール情報の送信を行い、続いて、他の携帯端末装置１００からのプロフィール情報の受信を行う。
一方、領域Ａ２２は、受信を選択するタッチ操作を受け付けるタッチ領域である。操作入力部２３０が領域Ａ２２へのタッチ操作を検出すると、携帯端末装置１００は、まず他の携帯端末装置１００からのプロフィール情報の受信を行い、続いて、他の携帯端末装置１００へのプロフィール情報の送信を行う。
【００４０】
図８は、表示部２６０が表示するバーコードの例を示す説明図である。
プロフィール情報の送信側となっている携帯端末装置１００では、制御部２７０が記憶部２８０からプロフィール情報を読み出し、当該プロフィール情報を示すバーコードを生成する。そして、表示部２６０は、図８に例示するように、プロフィール情報を示すバーコードを表示する。
【００４１】
図９は、プロフィール情報の受信側となっている携帯端末装置１００の表示部２６０が表示する撮像画像の例を示す説明図である。
プロフィール情報の受信側となっている携帯端末装置１００では、撮像部２２１が撮像を行っており、表示部２６０は、撮像部２２１の撮像画像をファインダー画像として表示する。
【００４２】
図９の例において、撮像部２２１の撮像画像の領域Ａ２１には、プロフィール情報の送信側となっている携帯端末装置１００が表示しているバーコードと、当該バーコードを検出したことを示すバーコード認識マークとが表示されている。
ここで、携帯端末装置１００がプロフィール情報の受信側となっている状態において、データ取得部２７２がバーコードを検出し、検出したバーコードからプロフィール情報を読み出す。
【００４３】
図９に例示されているバーコード認識マークは、データ取得部２７２がバーコードを検出してプロフィール情報を読出可能な状態にあることを示している。従って、バーコード認識マークが正しく表示されている状態（バーコードの像を囲んでバーコード認識マークが表示されている状態）では、ユーザは、携帯端末装置１００をそのまま保持してプロフィール情報の読出を待てばよい。
一方、バーコード認識マークが表示されていない場合、あるいは、バーコード認識マークが正しく表示されていない場合、ユーザは、バーコード認識マークが正しく表示されるように、撮像部２２１の撮像方向等を調整する。
【００４４】
また、領域Ａ２２には、プロフィール情報の送信側となっている携帯端末装置１００を持っているユーザの顔画像と、当該顔画像を検出したことを示す顔認識マークとが表示されている。
ここで、携帯端末装置１００がプロフィール情報の受信側となっている状態において、顔画像検出部２７３が顔画像を検出して切り出す。そして、制御部２７０は、顔画像検出部２７３が検出した顔画像を、データ取得部２７２が取得したプロフィール情報に対応付けて記憶部２８０の記憶するアドレス帳に登録する。
【００４５】
図９に例示されている顔認識マークは、顔画像検出部２７３が顔画像を検出して切出可能な状態にあることを示している。従って、顔認識マークが正しく表示されている状態（顔の像を囲んで顔認識マークが表示されている状態）では、ユーザは、携帯端末装置１００をそのまま保持して顔画像の切出を待てばよい。また、顔画像の登録を行わない設定の場合など、顔画像の登録を必要としない場合、ユーザは、顔認識マークの表示を気にする必要はない。
一方、顔画像の登録を必要としている場合、顔認識マークが表示されていないときや、バーコード認識マークが正しく表示されていないときは、ユーザは、顔認識マークが正しく表示されるように、撮像部２２１の撮像方向等を調整する。
【００４６】
図１０は、データ取得部２７２が取得するプロフィール情報の例を示す説明図である。
また、図１１は、顔画像検出部２７３が取得する顔画像の例を示す説明図である。
図９を参照して説明したように、データ取得部２７２は、撮像部２２１の撮像画像からバーコードを検出してプロフィール情報を読み出す。また、顔画像検出部２７３は、撮像部２２１の撮像画像から顔画像を検出して当該顔画像を切り出す。そして、制御部２７０は、データ取得部２７２が読み出したプロフィール情報と顔画像検出部２７３が切り出した顔画像とを対応付けて、記憶部２８０の記憶するアドレス帳に登録する。
【００４７】
図１２は、表示部２６０が表示するアドレス帳画面の例を示す説明図である。
上記のように、記憶部２８０は、プロフィール情報と顔画像とを対応付けてアドレス帳情報として記憶している。そして、制御部２７０は、ユーザ操作に応じて、記憶部２８０からプロフィール情報と顔画像とを取り出して表示部２６０に表示させる。図１２の例では、表示部２６０は、図１０に例示したプロフィール情報に従って、名前、よみがな、電話番号およびメールアドレスを表示し、また、図１１に例示した顔画像を表示している。
【００４８】
次に、図１３〜図１５を参照して、携帯端末装置１００の動作について説明する。
図１３〜図１５は、携帯端末装置１００がプロフィール交換を行う処理手順を示すフローチャートである。図１３は、プロフィール情報の送信を先に行うか受信を先に行うかの選択処理の手順を示す。図１４は、プロフィール情報を送信する処理手順を示す。図１５は、プロフィール情報を受信する処理手順を示す。
【００４９】
携帯端末装置１００は、図６の例における領域Ａ１１へのタッチなど、プロフィール交換を指示するユーザ操作を検出すると、図１３の処理を開始する。
図１３の処理において、制御部２７０は、図７に例示した送信／受信選択画面を表示部２６０に表示させる（ステップＳ１０１）。そして、制御部２７０は、操作入力部２３０が送信／受信のいずれかの選択操作を検出するのを待ち受け（ステップＳ１０２）、送信が選択されたか受信が選択されたかを判定する（ステップＳ１０３）。
送信が選択されたと判定した場合（ステップＳ１０３：ＹＥＳ）、図１４の処理へ進む。一方、送信が選択されていない（従って、受信が選択された）と判定した場合（ステップＳ１０３：ＮＯ）、図１５の処理へ進む。
【００５０】
図１４の処理では、制御部２７０は、まず、ユーザのプロフィール情報を記憶部２８０から読み出し、当該プロフィールを示すバーコードを生成する（ステップＳ２０１）。そして、制御部２７０は、生成したバーコードを表示部２６０に表示させる（ステップＳ２０２）。
【００５１】
次に、制御部２７０の発光パターン検出部２７１は、プロフィール情報の取得完了通知の有無を判定する（ステップＳ２０３）。具体的には、発光パターン検出部２７１は、撮像部２２２が撮像するプロフィール情報受信側の携帯端末装置１００の像から、発光ダイオード１４０の像を検出する。そして、発光パターン検出部２７１は、データ取得完了通知として設定されている所定の発光パターンで当該発光ダイオード１４０が発光したか否かを判定する。
【００５２】
取得完了通知有りと判定した場合（ステップＳ２０３：ＹＥＳ）、制御部２７０は、表示部２６０のバーコードの表示を終了させる（ステップＳ２１１）。そして、制御部２７０は、自らの携帯端末装置１００が相手の携帯端末装置１００からのプロフィール情報を取得済みか否かを判定する（ステップＳ２１２）。
取得済みであると判定した場合（ステップＳ２１２：ＹＥＳ）、図１３〜図１５の処理を終了する。一方、未だ取得していないと判定した場合（ステップＳ２１２：ＮＯ）、図１５の処理へ遷移する。
【００５３】
一方、ステップＳ２０３において、取得完了通知無しと判定した場合（ステップＳ２０３：ＮＯ）、制御部２７０は、プロフィール交換をキャンセルするユーザ操作が行われたか否かを判定する（ステップＳ２２１）。
ここで、プロフィール交換をキャンセルするユーザ操作として様々な操作を用いることができる。例えば、表示部２６０がキャンセルボタン（キャンセル操作を受け付けるためのタッチ領域）を表示し、操作入力部２３０が当該キャンセルボタンへのタッチを検出するようにしてもよい。あるいは、操作入力部２３０がテンキーまたは方向キーや決定キーなどの押ボタンを具備し、所定の押ボタンの押下をキャンセル操作として検出するようにしてもよい。
また、ユーザ操作に限らず電話着信があった場合などにも制御部２７０がプロフィール交換のキャンセル有りと判定するようにしてもよい。
【００５４】
プロフィール交換をキャンセルするユーザ操作が行われたと判定した場合（ステップＳ２２１：ＹＥＳ）、図１３〜図１５の処理を終了する。
一方、プロフィール交換をキャンセルするユーザ操作が行われていないと判定した場合（ステップＳ２２１：ＮＯ）、制御部２７０は、タイムアウトが発生したか否かを判定する（ステップＳ２２２）。例えば、制御部２７０は、ステップＳ２０２におけるバーコード表示開始からの経過時間を測定し、所定の送信閾値時間以上経過すると、タイムアウトが発生したと判定する。
【００５５】
タイムアウトが発生していないと判定した場合（ステップＳ２２２：ＮＯ）、ステップＳ２０３へ戻る。
一方、タイムアウトが発生したと判定した場合（ステップＳ２２２：ＹＥＳ）、制御部２７０は、時間延長操作が行われたか否かを判定する（ステップＳ２２３）。ここで、プロフィール交換をキャンセルするユーザ操作と同様、時間延長操作として様々な操作を用いることができる。
【００５６】
時間延長操作が行われたと判定した場合（ステップＳ２２３：ＹＥＳ）、制御部２７０は、送信閾値時間を設定し直して（延長して）ステップＳ２０３へ戻る。
一方、時間延長操作が行われていないと判定した場合（ステップＳ２２３：ＮＯ）、図１３〜図１５の処理を終了する。
【００５７】
図１５の処理では、制御部２７０は、まず、撮像部２２１をバーコード認識モードで起動して撮像を行わせる（ステップＳ３０１）。そして、制御部２７０のデータ取得部２７２は、撮像部２２１からの撮像画像においてバーコードを検出したか否かを判定する（ステップＳ３０２）。
バーコードを検出したと判定した場合（ステップＳ３０２：ＹＥＳ）、データ取得部２７２は、バーコード認識マークを表示部２６０に表示させておき、バーコードをプロフィール情報に変換して記憶部２８０に一時的に記憶させる（ステップＳ３１１）。
【００５８】
次に、制御部２７０の顔画像検出部２７３は、撮像部２２１からの撮像画像において顔画像を検出したか否かを判定する（ステップＳ３１２）。
顔画像を検出したと判定した場合（ステップＳ３１２：ＹＥＳ）、顔画像検出部２７３は、顔画像として検出した部分の画像データを撮像画像データから切り出して記憶部２８０に一時的に記憶させる（ステップＳ３２１）。
【００５９】
次に、制御部２７０は、プロフィール情報の取得完了通知を行う（ステップＳ３４１）。具体的には、制御部２７０は、データ取得完了通知として設定されている所定の発光パターンで発光部２４０（発光ダイオード１４０）を発光させる。
また、制御部２７０は、ステップＳ３１１で一時保存したプロフィール情報と、ステップＳ３２１で一時保存した顔画像とを対応付けて、記憶部２８０の記憶するアドレス帳へ新規登録する（ステップＳ３４２）。
【００６０】
そして、表示部２６０は、新規登録したアドレス帳情報（プロフィール情報および顔画像）を表示部２６０に表示させ（ステップＳ３４３）、ユーザの確認が完了したか否かを判定する（ステップＳ３４４）。例えば、表示部２６０が、アドレス帳情報を表示する際に、ＯＫボタン（確認完了を通知する操作を受け付けるためのタッチ領域）を表示する。そして、操作入力部２３０が当該ＯＫボタンへのタッチを検出すると、表示部２６０はユーザの確認完了と判定する。
【００６１】
ユーザの確認が完了していないと判定した場合（ステップＳ３４４：ＮＯ）、ステップＳ３４４へ戻る。すなわち、制御部２７０は、ユーザの確認完了を待ち受ける。
一方、ユーザの確認が完了したと判定した場合（ステップＳ３４４：ＹＥＳ）、制御部２７０は、自らの携帯端末装置１００が相手の携帯端末装置１００へプロフィール情報を送信済みか否かを判定する（ステップＳ３４５）。
【００６２】
送信済みであると判定した場合（ステップＳ３４５：ＹＥＳ）、図１３〜図１５の処理を終了する。
一方、送信済みでないと判定した場合（ステップＳ３４５：ＮＯ）、図１４の処理へ遷移する。
【００６３】
一方、ステップＳ３１２において、顔画像を検出していないと判定した場合（ステップＳ３１２：ＮＯ）、制御部２７０は、タイムアウトが発生したか否かを判定する（ステップＳ３３１）。例えば、制御部２７０は、ステップＳ３１１におけるプロフィール情報一時保存完了からの経過時間を測定し、所定の顔認識閾値時間以上経過すると、タイムアウトが発生したと判定する。
【００６４】
タイムアウトが発生していないと判定した場合（ステップＳ３３１：ＮＯ）、ステップＳ３１２へ戻る。
一方、タイムアウトが発生したと判定した場合（ステップＳ３３１：ＹＥＳ）、制御部２７０は、時間延長操作が行われたか否かを判定する（ステップＳ３３２）。ここで、ステップＳ２２３の場合と同様、時間延長操作として様々な操作を用いることができる。
【００６５】
時間延長操作が行われたと判定した場合（ステップＳ３３２：ＹＥＳ）、制御部２７０は、顔認識閾値時間を設定し直して（延長して）ステップＳ３１２へ戻る。
一方、時間延長操作が行われていないと判定した場合（ステップＳ３３２：ＮＯ）、ステップＳ３４１へ進む。
【００６６】
一方、ステップＳ３０２において、バーコードを検出していないと判定した場合（ステップＳ３０２：ＮＯ）、制御部２７０は、タイムアウトが発生したか否かを判定する（ステップＳ３５１）。例えば、制御部２７０は、ステップＳ３０１における撮像部起動からの経過時間を測定し、所定のバーコード認識閾値時間以上経過すると、タイムアウトが発生したと判定する。
【００６７】
タイムアウトが発生していないと判定した場合（ステップＳ３５１：ＮＯ）、ステップＳ３０２へ戻る。
一方、タイムアウトが発生したと判定した場合（ステップＳ３５１：ＹＥＳ）、制御部２７０は、時間延長操作が行われたか否かを判定する（ステップＳ３５２）。ここで、ステップＳ２２３の場合と同様、時間延長操作として様々な操作を用いることができる。
【００６８】
時間延長操作が行われたと判定した場合（ステップＳ３５２：ＹＥＳ）、制御部２７０は、バーコード認識閾値時間を設定し直して（延長して）ステップＳ３０２へ戻る。
一方、時間延長操作が行われていないと判定した場合（ステップＳ３５２：ＮＯ）、図１３〜図１５の処理を終了する。
【００６９】
以上のように、携帯端末装置１００−１（図１）では、まず、プロフィール情報送信側の携帯端末装置１００として、表示部２６０がバーコード（第１バーコード）を表示する。
そして、携帯端末装置１００−２では、プロフィール情報受信側の携帯端末装置１００として、データ取得部２７２がバーコードからプロフィール情報を取得する。データ取得部２７２がプロフィール情報の取得を完了すると、発光部２４０が所定の発光パターンで発光してデータ取得完了通知を行う。
【００７０】
このデータ取得完了通知にて、プロフィール情報の送信側と受信側とが交代する。携帯端末装置１００−２では、プロフィール情報送信側の携帯端末装置１００として、表示部２６０がバーコード（第２バーコード）を表示する。
そして、携帯端末装置１００−１では、プロフィール情報受信側の携帯端末装置１００として、データ取得部２７２がバーコードからプロフィール情報を取得する。
【００７１】
このように、携帯端末装置１００−１と１００−２とは、バーコードの表示および撮像にてデータの交換を行うので、赤外線通信を行えない情報機器間でもデータ交換を行うことができる。
そして、携帯端末装置１００−１と１００−２とは、データ取得完了通知にてデータ送信状態とデータ受信状態とを自動的に切り替える。従って、ユーザは、データ送信状態（携帯端末装置１００がバーコードを表示している状態）において表示画面を相手側の携帯端末装置１００へ向け、データ受信状態において撮像部２２１の撮像方向を相手側の携帯端末装置１００へ向けるという簡単な操作を行えばよい。この点において、データ交換システム１では、赤外線通信を行えない情報機器間でもデータ交換の際のユーザの手間を低減させることができる。
【００７２】
特に、携帯端末装置１００は、カメラと表示装置とを用いてデータの交換を行うので、これらを具備している携帯電話機等において、データ交換専用のデバイスを用意する必要が無い。この点で、携帯端末装置１００の構成の複雑化を防止でき、また、消費電力の増大を防止し得る。
【００７３】
また、発光部２４０は、撮像部２２１が撮像した画像にて所定の発光パターン（データ取得完了通知）を検出する。
これにより、発光部２４０が所定の発光パターンを検出するために専用のデバイス（例えば受光素子）を具備する必要が無い。従って、携帯端末装置１００の構成の複雑化を防止でき、また、消費電力の増大を防止し得る。
【００７４】
また、携帯端末装置１００−１では、プロフィール情報を送信した後のプロフィール情報受信状態にて、データ取得部２７２がプロフィール情報を取得すると、所定の発光パターン（データ取得完了通知）で発光する。
そして、携帯端末装置１００−２では、プロフィール情報を送信した後のプロフィール情報送信状態にて、発光パターン検出部２７１が記所定の発光パターンを検出すると、表示部２６０がバーコード（第２バーコード）の表示を終了する。
【００７５】
このように、データ取得完了通知に基づいて表示部２６０がバーコードの表示を終了することで、ユーザは、バーコードの表示を終了させる操作を行う必要が無く、この点においてユーザの手間を軽減させることができる。
同様に、プロフィール情報送信状態からプロフィール情報受信状態への切換の際も、携帯端末装置１００（表示部２６０）が自動的にバーコードの表示を終了することで、ユーザの手間を軽減させることができる。
【００７６】
また、顔画像検出部２７３が、撮像部２２１の撮像画像から顔画像を検出し、記憶部２８０は、データ取得部２７２が取得したデータ（プロフィール情報）と、顔画像検出部２７３が検出した顔画像とを対応付けて記憶する。
これにより、図１２に示す例のように、表示部２６０は、アドレス帳情報を表示する際に、プロフィール情報に加えて該当者の顔画像を表示することができる。従って、ユーザは、当該アドレス帳情報の表示を見た際に、誰のプロフィール情報かを、より容易に、かつ、より正確に把握することができる。
また、顔画像検出部２７３は、撮像部２２１の撮像画像から顔画像を検出するので、バーコード検出用の画像の他に顔画像検出用の画像を取得する必要がない。この点において、携帯端末装置１００の消費電力の増大や、処理対象の画像が増えることによる制御部２７０の負荷の増大を防止することができる。
【００７７】
なお、携帯端末装置１００が、表示画面の側に、バーコード撮像用のカメラを具備するようにしてもよい。例えば、撮像部２２１に代えて撮像部２２２がバーコードの撮像を行い、データ取得部２７２が撮像部２２２の撮像画像からバーコードを検出してプロフィール情報を取得するようにしてもよい。
【００７８】
これにより、プロフィール情報の送信状態においても受信状態においても、２つの携帯端末装置１００は、表示画面を向かい合わせた状態にあればよい。従って、プロフィール情報の送信状態と受信状態とで携帯端末装置１００の向きを変えるユーザの手間を省くことができる。
なお、この場合、発光部２４０は、例えば上述したように表示部２６０を発光パターンで発光させることでデータ取得完了通知を行う。
【００７９】
次に、図１６〜図１８を参照して本発明の最小構成について説明する。
図１６は、データ交換システム１のうち、本発明の最小構成を示す概略ブロック図である。同図において、データ交換システム１は、第１情報機器１０−１と第２情報機器１０−２とを具備する。第１情報機器１０−１は、撮像部２２１と、表示部２６０と、発光パターン検出部２７１と、データ取得部２７２とを具備する。第２情報機器１０−２は、撮像部２２１と、発光部２４０と、表示部２６０と、データ取得部２７２とを具備する。図１６において、図３の各部に対応して同様の機能を有する部分には同一の符号（２２１、２４０、２６０、２７１、２７２）を付して説明を省略する。
【００８０】
図１６に示す構成において、第１情報機器１０−１では、データ送信側の情報機器として、表示部２６０がバーコード（第１バーコード）を表示する。
そして、第２情報機器１０−２では、データ受信側の情報機器として、データ取得部２７２がバーコードからデータを取得する。データ取得部２７２がデータの取得を完了すると、発光部２４０が所定の発光パターンで発光してデータ取得完了通知を行う。
【００８１】
このデータ取得完了通知にて、データの送信側と受信側とが交代する。第２情報機器１０−２では、データ送信側の情報機器として、表示部２６０がバーコード（第２バーコード）を表示する。
そして、第１情報機器１０−１では、データ受信側の情報機器として、データ取得部２７２がバーコードからデータを取得する。
【００８２】
このように、第１情報機器１０−１と第２情報機器１０−２とは、バーコードの表示および撮像にてデータの交換を行うので、赤外線通信を行えない情報機器間でもデータ交換を行うことができる。
そして、第１情報機器１０−１と第２情報機器１０−２とは、データ取得完了通知にてデータ送信状態とデータ受信状態とを自動的に切り替える。従って、ユーザは、データ送信状態（携帯端末装置１００がバーコードを表示している状態）において表示画面を相手側の携帯端末装置１００へ向け、データ受信状態において撮像部２２１の撮像方向を相手側の携帯端末装置１００へ向けるという簡単な操作を行えばよい。この点において、データ交換システム１では、赤外線通信を行えない情報機器間でもデータ交換の際のユーザの手間を低減させることができる。
【００８３】
図１７は、情報機器のうち本発明の第１の最小構成を示す概略ブロック図である。同図において、情報機器１０は、撮像部２２１と、表示部２６０と、発光パターン検出部２７１と、データ取得部２７２とを具備する。図１７において、図３の各部に対応して同様の機能を有する部分には同一の符号（２２１、２６０、２７１、２７２）を付して説明を省略する。
【００８４】
図１７に示す構成において、情報機器１０では、データ送信側の情報機器として、表示部２６０がバーコード（第１バーコード）を表示する。
また、発光部２４０が所定の発光パターン（データ取得完了通知）を検出すると、データ受信側の情報機器として、データ取得部２７２がバーコードからデータを取得する。
【００８５】
このように、図１７に示す情報機器１０は、バーコードの表示および撮像にてデータの交換を行うので、赤外線通信を行えない情報機器間でもデータ交換を行うことができる。
そして、情報機器１０は、データ取得完了通知にてデータ送信状態とデータ受信状態とを自動的に切り替える。従って、ユーザは、データ送信状態（情報機器１０がバーコードを表示している状態）において表示画面を相手側の情報機器へ向け、データ受信状態において撮像部２２１の撮像方向を相手側の情報機器へ向けるという簡単な操作を行えばよい。この点において、図１７に示す情報機器１０では、赤外線通信を行えない情報機器間でもデータ交換の際のユーザの手間を低減させることができる。
【００８６】
図１８は、情報機器のうち本発明の第２の最小構成を示す概略ブロック図である。同図において、情報機器１０は、撮像部２２１と、発光部２４０と、表示部２６０と、データ取得部２７２とを具備する。図１８において、図３の各部に対応して同様の機能を有する部分には同一の符号（２２１、２４０、２６０、２７２）を付して説明を省略する。
【００８７】
図１８に示す構成において、情報機器１０では、データ受信側の情報機器として、データ取得部２７２がバーコードからデータを取得する。データ取得部２７２がデータの取得を完了すると、発光部２４０が所定の発光パターンで発光してデータ取得完了通知を行う。
そして、データ送信側の情報機器として、表示部２６０がバーコード（第２バーコード）を表示する。
【００８８】
このように、図１８に示す情報機器１０は、バーコードの表示および撮像にてデータの交換を行うので、赤外線通信を行えない情報機器間でもデータ交換を行うことができる。
そして、情報機器１０は、データ取得完了通知にてデータ送信状態とデータ受信状態とを自動的に切り替える。従って、ユーザは、データ受信状態において撮像部２２１の撮像方向を相手側の携帯端末装置１００へ向け、データ送信状態において表示画面を相手側の携帯端末装置１００へ向けるという簡単な操作を行えばよい。この点において、図１８に示す情報機器１０では、赤外線通信を行えない情報機器間でもデータ交換の際のユーザの手間を低減させることができる。
【００８９】
なお、制御部２７０やデータ取得部２７２の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９０】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００９１】
１  データ交換システム
１０  情報機器
１０−１  第１情報機器
１０−２  第２情報機器
１００、１００−１、１００−２  携帯端末装置
２１０  無線部
２２１  撮像部
２２２  撮像部
２３０  操作入力部
２４０  発光部
２５１  音声出力部
２５２  音声入力部
２５３  音声処理部
２６０  表示部
２７０  制御部
２７１  発光パターン検出部
２７２  データ取得部
２７３  顔画像検出部
２８０  記憶部
【図１】
2014016810.tif 000003
【図２】
2014016810.tif 000004
【図３】
2014016810.tif 000005
【図４】
2014016810.tif 000006
【図５】
2014016810.tif 000007
【図６】
2014016810.tif 000008
【図７】
2014016810.tif 000009
【図８】
2014016810.tif 000010
【図９】
2014016810.tif 000011
【図１０】
2014016810.tif 000012
【図１１】
2014016810.tif 000013
【図１２】
2014016810.tif 000014
【図１３】
2014016810.tif 000015
【図１４】
2014016810.tif 000016
【図１５】
2014016810.tif 000017
【図１６】
2014016810.tif 000018
【図１７】
2014016810.tif 000019
【図１８】
2014016810.tif 000020